(57)【特許請求の範囲】
【請求項１】
水平方向に延在する支持部と、係合部と、を備えるフレームと、 
前記フレームに配置され、映像を表示する表示ユニットと、 
前記表示ユニットの背面を覆い、下辺から垂直方向に突出する第１の突出部と、前記第１の突出部から垂直方向に突出する第２の突出部と、を備える背面板と、
前記背面板の上部に配置され、前記背面板を、前記フレームに着脱可能に取り付ける着脱部材と、を備え、 
前記背面板は、前記第１の突出部が前記フレームの前記支持部に支持され、前記第２の突出部が前記フレームの前記係合部に係合した状態で、前記着脱部材により、前記フレームに着脱可能に取り付けられ、
前記着脱部材は、
前記背面板の上部又は前記背面板の上部と対向する前記フレームの位置の一方の位置に配置された磁石と、
前記背面板の上部又は前記背面板の上部と対向する前記フレームの位置の他方の位置に配置された磁石又は磁性体と、を含み、
前記磁石は、弾性部材を介して前記フレーム又は前記背面板に固定されており、
前記弾性部材は、前記第１の突出部が突出する方向に伸縮し、前記フレームの方向に押されることで、前記第２の突出部と前記係合部との係合を解除させる、
映像表示装置。
【請求項２】
前記フレームは、矩形状のフレーム部材と、前記矩形状のフレーム部材の内部をマトリクス状に仕切る柱部材と、を備え、
前記表示ユニットは、前記矩形状のフレーム部材の前記柱部材で仕切られた空間に２以上配置される、
請求項１に記載の映像表示装置。
【請求項３】
前記背面板は、２以上の前記表示ユニットのうちの一部の表示ユニットの背面を覆う、
請求項２に記載の映像表示装置。
【請求項４】
前記矩形状のフレーム部材により囲まれた空間は、背面からみて２以上の区画に分割され、前記背面板は、分割された区画毎に前記表示ユニットの背面を覆うように取り付けられる、
請求項２に記載の映像表示装置。 
【請求項５】
前記背面板には、取手が配置され、
前記着脱部材は、前記取手の位置と前記背面板の上辺との間に配置された、
請求項１から４のいずれか１項に記載の映像表示装置。
【発明の詳細な説明】
【技術分野】
【０００１】
本発明は、映像を表示する映像表示装置に関する。
【背景技術】
【０００２】
店舗、公共空間、交通機関などで、大型の映像表示装置が使用されている。映像表示装置として、特許文献１に示すように、複数のＬＥＤモジュールをフレームに配置した映像表示装置が知られている。フレームは、内部が柱部材により複数の空間に仕切られている。各空間に、ＬＥＤモジュールが嵌め込まれている。映像表示装置の背面は、内部の電子回路を保護するために背面板で覆われている。
【先行技術文献】
【特許文献】
【０００３】
【特許文献１】米国特許出願公開第２０１４／０００３０５２号明細書
【発明の概要】
【発明が解決しようとする課題】
【０００４】
特許文献１に開示された映像表示装置では、各背面板はフレームにネジにより締結されている。【０００５】
このため、映像表示装置のメンテナンスのために背面板を着脱するとき、その都度、ネジの取外し、取付けの作業が必要であり、作業に手間がかかり且つ面倒である。また、ネジを紛失することがあり、ネジの管理も面倒である。また、大型の映像表示装置の場合、メンテナンスに高所作業を伴うため、手間と時間のかかる作業は、できるだけ避ける必要がある。【０００６】
本発明は、上記事由に鑑みてなされたものであり、背面板の着脱作業が簡単で、部品管理も容易である映像表示装置を提供することを目的とする。
【課題を解決するための手段】
【０００７】
上記目的を達成するために、本発明に係る映像表示装置は、
水平方向に延在する支持部と、係合部と、を備えるフレームと、 
前記フレームに配置され、映像を表示する表示ユニットと、 
前記表示ユニットの背面を覆い、下辺から垂直方向に突出する第１の突出部と、前記第１の突出部から垂直方向に突出する第２の突出部と、を備える背面板と、 
前記背面板の上部に配置され、前記背面板を、前記フレームに着脱可能に取り付ける着脱部材と、を備え、 
前記背面板は、前記第１の突出部が前記フレームの前記支持部に支持され、前記第２の突出部が前記フレームの前記係合部に係合した状態で、前記着脱部材により、前記フレームに着脱可能に取り付けられ、 
前記着脱部材は、
前記背面板の上部又は前記背面板の上部と対向する前記フレームの位置の一方の位置に配置された磁石と、 
前記背面板の上部又は前記背面板の上部と対向する前記フレームの位置の他方の位置に配置された磁石又は磁性体と、を含み、 
前記磁石は、弾性部材を介して前記フレーム又は前記背面板に固定されており、
前記弾性部材は、前記第１の突出部が突出する方向に伸縮し、前記フレームの方向に押されることで、前記第２の突出部と前記係合部との係合を解除させる。
【発明の効果】
【０００８】
本発明によれば、着脱部材を備えるので、背面板の着脱作業が簡単で、部品管理も容易である映像表示装置を提供することができる。
【図面の簡単な説明】
【０００９】
【図１】本発明の実施の形態に係る映像表示装置の斜視図
【図２】（ａ）は実施の形態に係る映像表示装置の表示ユニットの正面図、（ｂ）は当該表示ユニットのＸ−Ｘ’線での断面図
【図３】（ａ）は実施の形態に係る表示ユニットのケース部材の背面図、（ｂ）はＡ−Ａ’線での断面図
【図４】実施の形態に係る映像表示装置の背面板が取り付けられていない状態の背面図
【図５】実施の形態に係る映像表示装置の背面板が取り付けられた状態の背面図
【図６】実施の形態に係る背面板をフレーム側から見た図
【図７Ａ】実施の形態に係る背面板に取付けられる磁石の拡大図
【図７Ｂ】図７Ａに示す磁石の一部分解図
【図８Ａ】背面板を取り付ける前の実施の形態に係る映像表示装置の一部拡大図
【図８Ｂ】背面板を取り付けている状態の実施の形態に係る映像表示装置の一部拡大図
【図８Ｃ】背面板を取り付けた状態の実施の形態に係る映像表示装置の一部拡大図
【図９】フレームに背面板を取り付けた状態の実施の形態に係る映像表示装置の一部断面斜視図
【図１０Ａ】背面板を取り外している状態の実施の形態に係る映像表示装置の一部拡大図
【図１０Ｂ】背面板を取り外している状態の実施の形態に係る映像表示装置の一部拡大図
【図１１】フレームと背面板に−Ｚ方向の力が加わった状態を示す実施の形態に係る映像表示装置の一部拡大模式図
【図１２】変形例１の背面板が取り付けられた映像表示装置の背面図
【図１３】変形例１の背面版の要部拡大図
【図１４】変形例１の背面板の使用例を示す映像表示装置の背面図
【図１５Ａ】変形例２の留め具の要部を示す図
【図１５Ｂ】変形例２の留め具の要部を示す図
【図１５Ｃ】変形例２の留め具の要部を示す図
【発明を実施するための形態】
【００１０】
以下、本発明に係る映像表示装置の実施の形態を、図面を参照しながら詳細に説明する。なお、本実施の形態は、説明のためのものであり、本願発明の範囲を制限するものではない。また、当業者であればこれらの各要素もしくは全要素をこれと均等なものに置換した実施の形態を採用することが可能であるが、これらの実施の形態も本発明の範囲に含まれる。
【００１１】
（実施の形態）
本実施の形態に係る映像表示装置１を、図１〜１１を参照して詳述する。図１〜１１では、ＸＹＺ座標系が規定されている。映像表示装置１が、地面に垂直に置かれた状態で設置されると想定し、左右方向をＸ軸方向、上下方向をＹ軸方向、Ｘ軸とＹ軸とに垂直な方向をＺ軸方向と規定する。Ｘ，Ｙ，Ｚと示すときは、＋方向を示す。その反対方向を−方向とする。
【００１２】
図１は、本実施の形態に係る映像表示装置１を表面から見た斜視図、図４は、本実施の形態に係る映像表示装置１の背面板を外して、裏側から見た図、図５は、本実施の形態に係る映像表示装置１に背面板を取り付けて、裏側から見た図である。映像表示装置１は、図１，４，５に示すように、フレーム１０と、フレーム１０に配置された複数の表示ユニット２０と、複数の表示ユニット２０が配置されたフレーム１０を背面から覆う背面板３０と、を備える。
【００１３】
各表示ユニット２０は、矩形状に形成され、ネジ止め等によりフレーム１０に固定される。各表示ユニット２０は、映像表示面２１が＋Ｚ方向を向くようにフレーム１０に固定されている。複数の表示ユニット２０が、フレーム１０に敷き詰められてタイリングがされることで、全体として大きな映像表示面が形成される。
【００１４】
各表示ユニット２０の映像表示面２１の上には、後述するマスク部材２３が取り付けられている。また、図１では、フレーム１０には、表示ユニット２０が固定されていない空間があるが、実際には全ての空間に表示ユニット２０が固定される。
【００１５】
表示ユニット２０は、図２に示すように、基板２２と、基板２２に実装された表示素子であるＬＥＤ（Ｌｉｇｈｔ  Ｅｍｉｔｔｉｎｇ  Ｄｉｏｄｅ）素子２４と、ＬＥＤ素子２４の上面に重ねられるマスク部材２３と、基板２２とＬＥＤ素子２４とマスク部材２３を収容するケース部材２５と、を備える。
【００１６】
基板２２は、例えば、絶縁性を有する矩形状の平板である。基板２２の＋Ｚ方向の面に複数のＬＥＤ素子２４が実装されることにより、映像表示面２１が形成される。ＬＥＤ素子２４は、基板２２上にマトリクス状に並べられて配列される。具体的には、基板２２の上には、６×６個のＬＥＤ素子２４が配列される。また、基板２２には、ＬＥＤ素子２４に電力を供給するための電気回路がプリント配線として、実装される。
【００１７】
マスク部材２３は、外光の反射を抑制するブラックマトリクスと呼ばれる平板状の部材である。マスク部材２３は、基板２２と同じ大きさの矩形状の平板である。マスク部材２３には、マトリクス状に並べられたＬＥＤ素子２４を露出させるために、ＬＥＤ素子２４に対向する位置に開口部２３ａが形成されている。図１では、一部の表示ユニット２０のマスク部材２３が除去されているが、実際には全ての表示ユニット２０が、マスク部材２３を備える。
【００１８】
ケース部材２５は、基板２２と、ＬＥＤ素子２４と、マスク部材２３を収容する筐体である。ケース部材２５は、底板２５ａと、底板２５ａと対向する開口部２５ｂを有する。底板２５ａは、基板２２と対向する板であり、開口部２５ｂは、＋Ｚ方向に開口してＬＥＤ素子２４を露出させる。ケース部材２５は、防水性を備える。例えば、ケース部材２５は防水性を有する部材で形成され、或いは、ケース部材２５の表面に防水加工が施されている。ケース部材２５は、例えば、防水性を有する樹脂をモールド加工して形成される。
【００１９】
ケース部材２５について、更に詳細に説明する。図３（ａ）は、図２の表示ユニット２０を−Ｚ方向から見た図である。図３（ｂ）は、図３（ａ）のＡ−Ａ’線での断面図であり、仮想線ｐで示す部分にＬＥＤ素子２４が載置された基板２２が搭載される。図に示すように、ケース部材２５は、ケース本体２６と、ケース本体２６に取り付けられた遮蔽板２７と、を備える。ケース本体２６の＋Ｚ軸方向を向く面には、図示しない基板２２が取り付けられ、−Ｚ軸方向を向く面には、遮蔽板２７が取り付けられる。遮蔽板２７の−Ｚ軸方向を向く面は、後述する背面板３０で覆われる。なお、遮蔽板２７は、基板２２の背面に直接取り付けるようにしてもよい。
【００２０】
ケース本体２６の−Ｚ軸方向を向く面には、凹部２６ａが形成される。凹部２６ａの内部には、基板２２に載置されたＬＥＤ素子２４に信号を送るための信号コネクタ端子部２６ｂが形成されている。
【００２１】
遮蔽板２７の−Ｚ軸方向を向く面には、遮蔽板２７と一体成形されたヒートシンク２８が形成されている。ヒートシンク２８の内部には、ＬＥＤ素子２４に電源を供給する図示しない電源ユニットが格納されている。遮蔽板２７が凹部２６ａ内に配置された状態で、凹部２６ａ内の隙間はシリコン２６ｃが充填されている。シリコン２６ｃは、凹部２６ａの信号コネクタ端子部２６ｂを被覆するので、信号コネクタ端子部２６ｂは、シリコンポッティングにより防水される。なお、信号コネクタ端子部２６ｂが形成された部分を個別に隔離する壁を設け、この部分にシリコンを流し込む部分的なシリコンポッティングとしてもよい。
【００２２】
ヒートシンク２８の外側には、内部に格納された電源ユニットに、外部の電源から電源を供給するための電源コネクタ２９が差し込まれる。電源コネクタ２９は、外周がゴムパッキンで被覆され、防水処理が施されている。
【００２３】
信号コネクタ端子部２６ｂには、図示しない配線が接続され、この配線を介して外部の信号源から信号が送信されてもよい。外部からの信号は、基板２２に搭載された駆動制御部、例えば、ＦＰＧＡ（Ｆｉｅｌｄ  Ｐｒｏｇｒａｍｍａｂｌｅ  Ｇａｔｅ  Ａｒｒａｙ）に送られる。駆動制御部は、ＬＥＤ素子２４を制御して、画像を表示する。
【００２４】
フレーム１０は、図４に示すように、フレーム部材１１と、フレーム部材１１の内部をマトリクス状に仕切る柱部材１２と、を備える。
【００２５】
フレーム部材１１は、Ｘ軸方向に伸びる３本の横枠材１１ａと、Ｙ軸方向に伸びる一対の縦枠材１１ｂと、２本の帯板１１ｃとを備える。
【００２６】
３本の横枠材１１ａと、一対の縦枠材１１ｂとは組み合わされて、矩形のフレーム部材１１を形成する。フレーム部材１１は、磁性体を含む金属、例えばステンレス材で形成される。３本の横枠材１１ａのうち、中央と下部の横枠材１１ａは、背面板３０の後述する第１の突出部５０を下方から支持する支持部として機能する。中央と下部の横枠材１１ａは、背面板３０をフレーム１０に取り付けたときに、後述する第２の突出部６０と係合する係合部を備える。
【００２７】
帯板１１ｃは、上部の横枠材１１ａと中央の横枠材１１ａとの間、及び、中央の横枠材１１ａと下部の横枠材１１ａとの間に掛け渡されている。本実施の形態では、２本の帯板１１ｃが、それぞれ、上部の横枠材１１ａと下部の横枠材１１ａとの間に掛け渡されている。帯板１１ｃは、背面板３０の磁石４０が吸着する部材である。帯板１１ｃの位置は、背面板３０のサイズにあわせて設定される。帯板１１ｃと横枠材１１ａとが面一となるように、横枠材１１ａの帯板１１ｃの取り付け位置は、わずかに窪んでいる。
【００２８】
柱部材１２は、Ｘ軸方向に伸びる複数の横柱部材１２ａと、Ｙ軸方向に伸びる複数の縦柱部材１２ｂと、を含む。柱部材１２は、金属、例えば、ステンレス材で形成される。複数の横柱部材１２ａと複数の縦柱部材１２ｂとは格子状に配置され、互いに固定される。具体的には、図９に拡大して示すように、横柱部材１２ａと縦柱部材１２ｂとに切欠部が形成され、この切欠部が組み合されて横柱部材１２ａと縦柱部材１２ｂが固定される。横柱部材１２ａと縦柱部材１２ｂとは、格子状に配置されることで、格子状に配列される２以上の空間１３、具体的には５×６の３０個の空間１３を形成する。３０個の空間１３に、各表示ユニット２０が配置される。
【００２９】
背面板３０は、図５に示すように、フレーム１０の背面を覆う矩形状の板状部材である。背面板３０は、フレーム部材１１によって格子状に仕切られた２以上の空間１３を覆う。背面板３０の大きさは、メンテナンス作業のやりやすさを考慮して決定される。具体的には、図４，５に示すように、３０個の表示ユニット２０が挿入された空間を、３個または６個をひとつの単位としてグループに分けする。分けられた各グループで形成される空間の開口の面積に応じた背面板３０を作成する。また、背面板３０の位置にあわせて、帯板１１ｃが配置される。そして、各グループの表示ユニット２０の背面を、対応する背面板３０で覆うことにより、映像表示装置１の背面全体を覆う。
【００３０】
背面板３０の具体的な構造を、図６に示す。図６は、背面板３０を、フレーム１０の方向から見た図である。
【００３１】
背面板３０は、矩形状の外形を有する磁性体、例えば、ステンレス材で形成された板状部材である。背面板３０は、映像表示装置１が、屋外で使用されるときに、異物の侵入を防ぐとともに、紫外線による内部部品の劣化を防止する。
【００３２】
背面板３０は、矩形状の中央部３１と、中央部３１の両側辺と上辺から辺に沿って起立する起立部３２と、中央部３１の下辺から垂直方向に突出する第１の突出部５０と、中央部３１の上辺の起立部３２から中央部３１に平行に延出する延出部３３と、第１の突出部５０から垂直方向に突出する第２の突出部６０を備える。ここで、垂直方向とは、中央部３１の板面に対して垂直方向を向いていることである。
【００３３】
中央部３１は、表面３０ａと裏面３０ｂを有し、裏面３０ｂがフレーム１０に向かい合う。中央部３１のサイズと形状とは、背面板３０が取り付けられるフレーム１０の表示ユニット２０のグループのサイズと形状に応じて決定される。例えば、６つの表示ユニット２０をひとつのグループとし、そのグループを囲った、図４の実線で囲った領域Ｙに、背面板３０を取り付けるとする。このとき、中央部３１のＸ軸方向の幅は、領域ＹのＸ軸方向の幅より大きく形成される。また、中央部３１のＸ軸方向の幅は、Ｘ軸方向に隣り合う背面板３０同士が接触しない範囲内で決定される。
【００３４】
起立部３２は、中央部３１の両側辺及び上辺から垂直に立ち上がり、一定の幅ｗを有する。起立部３２は、平板の周囲を折曲げて形成され、中央部３１と一体に形成される。
【００３５】
延出部３３は、中央部３１の上辺の起立部３２から直角方向に延在し、Ｙ軸方向に隣り合う背面板３０と干渉しない長さを有する。延出部３３は、背面板３０がフレーム１０に取り付けられたとき、外部からの異物の侵入を防止する。
【００３６】
第１の突出部５０は、中央部３１の下辺から、垂直に突出する板状部材である。第１の突出部５０のＸ軸方向の両端部には、切欠部５０ａが形成されている。第１の突出部５０の基部は起立部３２と同一の幅ｗを有する。一方、切欠部５０ａにより形成される先端部は、領域Ｙのフレーム１０に挿入可能なサイズに形成されている。第１の突出部５０は、背面板３０をフレーム１０に取り付けたとき、中央の横枠材１１ａ又は下部の横枠材１１ａに支持される。具体的には、裏面３０ｂから垂直に突出した第１の突出部５０の下面が、水平に配置された横枠材１１ａの支持部に相当する上面に当接する。これにより、背面板３０は、フレーム部材１１に支持される。
【００３７】
第１の突出部５０の切欠部５０ａは、背面板３０をフレーム１０に取り付けたとき、垂直方向に配置された縦枠材１１ｂ又は帯板１１ｃに当接し、背面板３０のＸ軸方向及びＺ軸方向の位置決めをする。
【００３８】
第２の突出部６０は、第１の突出部５０の下面から第１の突出部５０に垂直に、下方に伸びて突出する部材である。第２の突出部６０は、板状の第１の突出部５０の一部に一対の切り込みを入れ、切り込まれた部分を、中央部３１と平行となるように折り曲げることで形成される。
【００３９】
第２の突出部６０は、第１の突出部５０と同一方向に突出する凸部６０ａを備える。凸部６０ａは、背面板３０をフレーム１０に取り付ける際に、図１１に示すフレーム部材１１に形成された孔１１ｄに挿入される。図１１は、第１の突出部５０と、第２の突出部６０と、フレーム部材１１との関係を示す図であり、要部を拡大し、映像表示装置１を背面から見た図である。第２の突出部６０は、フレーム部材１１の裏面に係合する。なお、凸部６０ａはなくてもよい。
【００４０】
中央部３１の裏面３０ｂには、磁石４０が取り付けられ、表面３０ａには、図５に示すように、取手７０が取り付けられている。図５には、表面３０ａに取り付けられた取手７０が中央部３１を貫通し、裏面３０ｂに露出した端部を覆った箱体が描画されている。
【００４１】
磁石４０は、背面板３０をフレーム１０に着脱させる着脱部材である。磁石４０は、図６に示すように、背面板３０のフレーム１０に対向する裏面３０ｂの、Ｘ軸方向に対向する一対の辺に沿って２つ取り付けられる。磁石４０は、具体的には、図７Ａ，７Ｂに示すように、３つの板状の単位磁石４０ａを備える。単位磁石４０ａは、板面がＸ軸方向に向くように、Ｘ軸方向に平行に並べられて、磁石ケース４０ｂに収容される。単位磁石４０ａの着磁された一端部が磁石ケース４０ｂから突出し、他端部がばね等の弾性部材を介して背面板３０に取り付けられる。したがって、磁石４０は、−Ｚ軸方向の力が加わると、初期位置から−Ｚ軸方向に移動し、＋Ｚ軸方向の力が加わると、初期位置から＋Ｚ方向に移動する。磁石４０は、磁石ケース４０ｂに形成された孔４０ｃを介して、ネジ４０ｄにより背面板３０に固定される。
【００４２】
図７Ｂに示す磁石４０のＺ軸方向の高さｈは、背面板３０の起立部３２の幅ｗよりわずかに大きい。背面板３０を映像表示装置１の背面からフレーム１０に当接させると、磁石４０がフレーム１０に吸着し、背面板３０は、中央部３１がフレーム１０から距離ｗだけ浮いた状態で、フレーム１０の背面の一部を覆うように取り付けられる。
【００４３】
取手７０は、図５に示すように、背面板３０の表面３０ａに、Ｘ軸方向に対向する一対の辺に沿って２つ取り付けられる。取手７０は、背面板３０の表面３０ａから突出するＵ字状の取手であり、作業者は、取手７０のＵ字に指を入れて背面板３０を着脱させる。
【００４４】
取手７０は、図６に示すように、背面板３０の下辺と対向する上辺との間に、取り付けられる。磁石４０は、対向する上辺と取手７０の位置との間に取り付けられる。より具体的には、取手７０は、背面板３０のＹ軸方向に対向する辺の、中央部に取り付けられ、磁石４０は、取手７０よりも上方に取り付けられる。
【００４５】
次に、背面板３０をフレーム１０に取り付ける方法について、図８Ａ〜８Ｃを参照して説明する。
【００４６】
図８Ａは、図４の一部を拡大した図であり、実線で囲んだ領域Ｙに、一枚の背面板３０が取り付けられる。
【００４７】
まず、作業者は、取手７０を持って、図８Ｂに示すように、背面板３０の上部を外側に傾斜させた状態で、映像表示装置１のＹ領域に、背面板３０を配置する。そして、背面板３０の下端の第１の突出部５０の先端部を縦枠材１１ｂと帯板１１ｃの間に差し入れ、横枠材１１ａの上に載置する。これにより、背面板３０のＸ軸方向及びＹ軸方向の位置が定まる。このとき、第１の突出部５０の基部の両端部が縦枠材１１ｂと帯板１１ｃに当接する。これにより、背面板３０の下端部のＺ軸方向の位置が定まる。
【００４８】
続いて、作業者は、図８Ｃに示すように、背面板３０の上部をフレーム１０に向けて倒し、延出部３３をフレーム１０に当接させる。これにより、磁石４０が、磁性体で形成されたフレーム部材１１を吸着する。さらに、第２の突出部６０の凸部６０ａがフレーム部材１１の孔１１ｄに挿入される。このようにして、背面板３０は、フレーム１０に取り付けられる。
【００４９】
図９は、図８ＣをＺ−Ｚ’線で切断し、フレーム１０から見た断面斜視図である。図９では、表示ユニット２０は図示されていない。図に示すように、フレーム１０に背面板３０が取り付けられると、第１の突出部５０の下面は、横枠材１１ａに当接する。したがって、映像表示装置１に−Ｙ方向の力である重力方向の力が働いても、第１の突出部５０がフレーム部材１１に当接するので、背面板３０は、フレーム１０から落下することはない。
【００５０】
次に、フレーム１０に取り付けられた背面板３０を、フレーム１０から取り外す方法を、図１０Ａ，１０Ｂを参照して説明する。
【００５１】
まず、作業者は、取手７０を持って、背面板３０の下端部をフレーム１０側へ押す。すると、単位磁石４０ａがフレーム部材１１及び柱部材１２により内側に押され、第２の突出部６０の凸部６０ａが、孔１１ｄから外れる。この状態で、図１０Ａに示すように、背面板３０をＹ軸方向に、第２の突出部６０の長さ分、持ち上げると、第１の突出部５０と第２の突出部６０は、フレーム部材１１から離脱される。
【００５２】
そして、図１０Ｂに示すように、作業者が、背面板３０の下方を手前に傾斜させると、磁石４０と背面板３０との吸着が解除され、背面板３０は、フレーム１０から離脱される。取手７０は、磁石４０よりも下方に取り付けられているので、作業者は、てこの原理で、容易に背面板３０を取り外すことができる。
【００５３】
背面板３０をフレーム１０から取り外す際に、背面板３０の下方を手前に引いて、取り外そうとすると、横枠材１１ａが第２の突出部６０に干渉して、取り外すことはできない。第２の突出部６０は、映像表示装置１に−Ｚ軸方向の力が加わったときに、背面板３０がフレーム１０から離脱することを防止する。
【００５４】
本実施の形態によれば、背面板３０の裏面３０ｂに配置された磁石４０がフレーム１０に吸着することにより、背面板３０をフレーム１０に固定する。また、磁石４０をフレーム１０から引き離すことにより、背面板３０をフレーム１０から取り外すことができる。したがって、特別な工具無しで、簡単な作業で、背面板３０をフレーム１０に着脱できるので、メンテナンス作業が容易になる。
【００５５】
背面板３０の第１の突出部５０が、フレーム部材１１の支持部に載置されるので、映像表示装置１に重力方向の力が加わったとき、背面板３０がフレーム１０から脱落することを防止できる。
【００５６】
背面板３０に第２の突出部６０を形成し、第２の突出部６０が、背面板３０の下辺と平行に配置されたフレーム部材１１又は柱部材１２の内面と対向するので、背面板３０に−Ｚ方向の力が働いても背面板３０がフレーム１０から脱落することを防止できる。
【００５７】
ケース部材２５は、背面板３０と対向する面に防水処理が施されているので、背面板３０とフレーム１０との隙間から水が浸入しても、電気回路やＬＥＤ素子２４に支障を与えることはない。
【００５８】
（変形例１）
実施の形態において、取手７０としてＵ字形状の取手を例示したが、作業者が背面板３０を操作できれば、取手の形状及びサイズは任意である。例えば、取手は背面板３０の表面からフレーム１０側に凹んだ、凹状の取手であってもよい。
【００５９】
図１２は、凹状の取手７１を備える背面板３０が取り付けられた映像表示装置１の背面図である。取手７１以外の構造は、実施の形態と同様である。
【００６０】
図１３は、取手７１を取り付けた背面板３０を一部拡大した展開図である。取手７１は、凹部が形成され、ほぼ矩形状の矩形部７１ａと、矩形部７１ａの周囲から外側に延出する取付部７１ｂと、を備える。背面板３０には、矩形部７１ａを受け入れる挿入孔３０ｃが形成される。取手７１の矩形部７１ａの突出した方から、挿入孔３０ｃに挿入し、取付部７１ｂを背面板３０にネジで固定することで、取手７１を背面板３０に固定する。矩形部７１ａの奥行きｄは、背面板３０の起立部３２の幅ｗ以下である。
【００６１】
本変形例でも、メンテナンス作業をする際に、取手７１を持って作業を行うことができる。
【００６２】
また、取手７１の凹部の奥行きｄを、背面板３０の幅ｗ以下としたので、背面板３０に大きな凹凸ができない。このため、複数の背面板３０を重ねて積載することができる。また、図１４に示すように、他の背面板３０の上に、磁石４０により接着することができる。なお、メンテナンス中に、Ｕ字状の取手７０を有する背面板３０を背面板３０に重ねられるように、磁石４０の強度を設定してもよい。
【００６３】
（変形例２）
実施の形態において、磁石４０を背面板３０に配置し、フレーム部材１１を磁性体で形成した。本発明は、これに限定されない。例えば、フレーム部材１１を軽量のアルミ材、樹脂部材で成形し、磁石４０と対向する部分に磁性体を貼付してもよい。また、磁石４０と対向する部分を、磁性体で成形してもよい。さらに、磁石４０と反対の極に着磁された磁石をフレーム部材１１に貼り付けてもよい。
【００６４】
実施の形態においては、磁石４０を背面板３０に取り付けたが、背面板３０を容易に着脱できるならば、磁石４０の取り付け位置は任意である。例えば、フレーム部材１１に磁石を取付け、背面板３０の一部又は全部を磁性体で成形してもよい。この場合、磁石４０は、弾性部材を介してフレーム部材１１に取り付けられる。また、フレーム部材１１の磁石４０に対応する位置に、磁石４０との間で吸引力を発生する磁石を配置してもよい。
【００６５】
（変形例３）
以上の説明では、着脱部材として磁石４０を例示したが、フレーム１０に背面板３０を工具無しで脱着できるものであれば、他の部材を使用することができる。例えば、１５Ａ〜１５Ｃに示すように、付勢力又は弾性力を利用した留め具を使用してもよい。
【００６６】
図１５Ａ、１５Ｂに、付勢力を利用した留め具の例を示す。図１５Ａ、１５Ｂに示す例は、ローラキャッチを使用した例である。図１５Ａに示すように、ローラキャッチ４１は、キャッチ本体４２と、ストライク４３とを備える。キャッチ本体４２は、ベース部４２ａと、ベース部４２ａに取り付けられた一対のアーム４２ｂと、一対のアーム４２ｂの先端に取り付けられた一対のローラ４２ｃと、を備える。一対のアーム４２ｂは、ベース部４２ａに内蔵されたバネ等の付勢部材により閉鎖されている。ストライク４３は、一定方向に突出した先端部４３ａを備える。ストライク４３の先端部４３ａが、一対のローラ４２ｃの間に挿入され、アーム４２ｂを開閉させることで、ストライク４３は、キャッチ本体４２に保持される。
【００６７】
図１５Ｂに示すローラキャッチ４４は、図１５Ａのローラキャッチ４１と比べて、キャッチ本体の構造が相違する。ローラキャッチ４４は、キャッチ本体４５を備える。キャッチ本体４５は、凹部４５ａを備え、凹部４５ａ内に一対のローラ４６が挿入されている。ローラ４６は、凹部４５ａの側壁に内蔵されたバネ等の付勢部材により、互いに接近する方向に付勢されている。ストライク４３が、一対のローラ４６の間に入ることで、一対のローラ４６は互いに離れる方向に移動して、ストライク４３を受け入れる。ストライク４３が一対のローラ４６内に受け入れられ、ストライク４３は、キャッチ本体４５に保持される。
【００６８】
図１５Ｃに、弾性力を利用して、背面板３０の着脱をする留め具の例を示す。図１５Ｃに示す例は、ストライク４３とクリップ４７を使用した例である。図１５Ｃに示すように、クリップ４７は、クリップ本体４８と、クリップ本体４８の内部にストライク４３を受け入れる受け部４９を含む。クリップ４７は、弾性を備える樹脂部材で形成されている。ストライク４３が、受け部４９に入ると、受け部４９が弾性力により変形し、ストライク４３を受け入れる。ストライク４３が受け部４９に受け入れられることで、ストライク４３はクリップ本体４８に保持される。
【００６９】
図１５Ａ〜１５Ｃに示す留め具は、ストライク４３を背面板３０に取付け、キャッチ本体４２、４５又はクリップ４７をフレーム部材１１又は柱部材１２に取り付けた留め具である。留め具は、ストライク４３をフレーム部材１１又は柱部材１２に取付け、キャッチ本体４２、４５又はクリップ４７を背面板３０に取り付けてもよい。
【００７０】
このように、図１５Ａ〜１５Ｃに示す留め具を、背面板３０と、フレーム部材１１又は柱部材１２とに取付けたので、留め具により、背面板３０をフレーム１０に取り付けることができる。
【００７１】
本変形例によれば、付勢力または弾性力を用いた留め具を使用することで、フレーム部材１１、を磁性体で形成する必要がなくなる。例えば、アルミニウム、樹脂を用いて、フレーム部材１１を成形できるので、成形が容易となり、映像表示装置１の軽量化を図ることができる。
【００７２】
以上、本発明の各実施の形態について説明したが、本発明は前述の実施の形態、変形例によって限定されるものではない。
【００７３】
実施の形態において、表示素子としてＬＥＤ素子を使用すると説明したが、ＬＥＤ素子でなくてもよい。表示ユニット２０として、有機ＥＬディスプレイ、液晶パネル等を使用してもよい。
【００７４】
実施の形態において、背面板３０が、第１の突出部５０と第２の突出部６０とを備えると説明したが、第１の突出部５０のみでもよい。背面板３０に第１の突出部５０のみが形成されている場合は、背面板３０をフレーム１０に取り付けるには、第１の突出部５０を、フレーム部材１１又は柱部材１２の一辺に沿ってフレーム１０に挿入し、磁石４０をフレーム部材１１に吸着させる。
【００７５】
実施の形態において、ケース部材２５は、樹脂部材で成形されると説明したが、本発明は、樹脂部材で成形されたケース部材２５に限定されない。具体的には、ケース部材２５を金属製の部材で成形し、ケース部材２５の背面に、防水処理を施してもよい。防水処置の方法として、例えば、ケース部材２５の背面を樹脂フィルムで被覆する方法がある。
【００７６】
実施の形態において、第１の突出部５０は、背面板３０の一端部を折曲げて形成された部材であると説明したが、背面板３０とは別部材である板を、溶接等で取り付けてもよい。また、第１の突出部５０は、背面板３０の底辺に形成されていると説明したが、背面板３０の底辺に沿って、一定の間隔を空けて取り付けてもよい。
【００７７】
実施の形態において、第２の突出部６０は、板状の第１の突出部５０の一部に一対の切り込みを入れ、背面板３０と平行に折り曲げられて形成され、一体成形されると説明した。第２の突出部６０は、第１の突出部５０と一体成形せずに、別部材を第１の突出部５０に取り付けてもよい。
【００７８】
実施の形態において、磁石４０を着脱部材の一例として説明したが、本発明の着脱部材は、磁石４０、ローラキャッチ４１，４４に限定されず、フレーム部材１１、柱部材１２に、容易に着脱できるものであれば、いかなる部材も適用することができる。例えば、背面板３０の裏面３０ｂに、粘着性のテープを貼付してもよい。また、ラッチ構造の着脱部材を使用してもよい。
【００７９】
実施の形態において、取手７０、７１は、２つであると説明したが、１つまたは３つ以上であってもよい。また、取手７０、７１は、背面板３０のＸ軸方向に対向する一対の辺に沿って取り付けられると説明したが、背面板３０のいずれに取り付けてもよい。
【００８０】
実施の形態及び変形例１から３において、背面板３０は、第１の突出部５０と、第２の突出部６０を備えるとして説明したが、第１の突出部５０と、第２の突出部６０はなくてもよい。
【００８１】
実施の形態及び変形例１から３において、背面板３０は、それ自体をフレーム１０から着脱できる板であると説明したが、本発明は、このような背面板３０に限定されない。背面板のいずれか一辺を、フレームに回動自在に固定し、背面板に着脱部材を取り付けた扉状の背面板としてもよい。このとき、背面板は、第１の突出部５０と第２の突出部６０とを備えなくてもよい。さらに、この背面板に、フレームに固定された辺と対向する辺にハンドルを取付け、ハンドルを持って、背面板を開閉してもよい。
【００８２】
実施の形態及び変形例１から３において、背面板３０は、柱部材１２で格子状に仕切られた２以上の空間の一部を覆う部材であると説明したが、小型の映像表示装置であれば、２以上の空間の全てを覆う背面板を用い、映像表示装置の背面の全部を覆うようにしてもよい。
【００８３】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、請求の範囲によって示される。そして、請求の範囲内及びそれと同等の発明の意義の範囲内で施される様々な変形が、この発明の範囲内とみなされる。
【産業上の利用可能性】
【００８４】
本発明は、映像を表示する映像表示装置に好適に利用できる。
【符号の説明】
【００８５】
１  映像表示装置、１０  フレーム、１１  フレーム部材、１１ａ  横枠材、１１ｂ  縦枠材、１１ｃ  帯板、孔、１１ｄ  孔、１２  柱部材、１２ａ  横柱部材、１２ｂ  縦柱部材、１３  空間、２０  表示ユニット、２１  映像表示面、２２  基板、２３  マスク部材、２３ａ  開口部、２４  ＬＥＤ素子、２５  ケース部材、２５ａ  底板、２５ｂ  開口部、２６  ケース本体、２６ａ  凹部、２６ｂ  信号コネクタ端子部、２６ｃ  シリコン、２７  遮蔽板、２８  ヒートシンク、２９  電源コネクタ、３０  背面板、３０ａ  表面、３０ｂ  裏面、３０ｃ  挿入孔、３１  中央部、３２  起立部、３３  延出部、４０  磁石、４０ａ  単位磁石、４０ｂ  磁石ケース、４０ｃ  孔、４０ｄ  ネジ、４１，４４  ローラキャッチ、４２，４５  キャッチ本体、４２ａ  ベース部、４２ｂ  アーム、４２ｃ  ローラ、４３  ストライク、４３ａ  先端部、４５ａ  凹部、４６  ローラ、４７  クリップ、４８  クリップ本体、４９  受け部、５０  第１の突出部、５０a  切欠部、６０  第２の突出部、６０ａ  凹部、７０，７１  取手、７１ａ  矩形部、７１ｂ  取付部
【図１】
0006758483.tif 000002
【図２】
0006758483.tif 000003
【図３】
0006758483.tif 000004
【図４】
0006758483.tif 000005
【図５】
0006758483.tif 000006
【図６】
0006758483.tif 000007
【図７Ａ】
0006758483.tif 000008
【図７Ｂ】
0006758483.tif 000009
【図８Ａ】
0006758483.tif 000010
【図８Ｂ】
0006758483.tif 000011
【図８Ｃ】
0006758483.tif 000012
【図９】
0006758483.tif 000013
【図１０Ａ】
0006758483.tif 000014
【図１０Ｂ】
0006758483.tif 000015
【図１１】
0006758483.tif 000016
【図１２】
0006758483.tif 000017
【図１３】
0006758483.tif 000018
【図１４】
0006758483.tif 000019
【図１５Ａ】
0006758483.tif 000020
【図１５Ｂ】
0006758483.tif 000021
【図１５Ｃ】
0006758483.tif 000022